(57)【要約】【課題】手間をかけずに簡単な操作で、ビニールハウスや温室内の植物に炭酸ガスを供給し、光合成を促進する植物育成補助装置を提供する。【解決手段】植物の光合成を促進する植物育成補助装置１０であって、下部の第１の閉塞部１１と上部の第２の閉塞部１２によって閉塞された合成樹脂シートからなる矩形袋体１３と、密閉した矩形袋体１３の内部に収納され、ペレット、顆粒、及び粉のいずれか１又は２以上からなり、炭酸ガスを発生する植物育成助成剤１４とを有し、矩形袋体１３の幅方向中央で矩形袋体１３の上端と第２の閉塞部１２との間には吊り下げ用の貫通孔１５が設けられ、第１の閉塞部１１と第２の閉塞部１２で密閉される袋本体１６の上半分には、複数の貫通孔指示マーク１７が設けられている。【選択図】図１
0003208793.tif 000002
【実用新案登録請求の範囲】
【請求項１】
下部が第１の閉塞部によって、上部が上端から距離を置いて第２の閉塞部によって閉塞された合成樹脂シートからなる矩形袋体と、該矩形袋体の内部に収納され、ペレット、顆粒、及び粉のいずれか１又は２以上からなり、炭酸ガスを発生する植物育成助成剤とを有し、
前記矩形袋体の幅方向中央で該矩形袋体の上端と前記第２の閉塞部との間には吊り下げ用の貫通孔が設けられ、
前記第１の閉塞部と前記第２の閉塞部で密閉される袋本体の上半分には、複数の貫通孔指示マークが設けられていることを特徴とする植物育成補助装置。
【請求項２】
請求項１記載の植物育成補助装置において、前記合成樹脂シートは、０．１〜０．５ｍｍ厚のポリオレフィン樹脂からなることを特徴とする植物育成補助装置。
【請求項３】
請求項１又は２記載の植物育成補助装置において、前記矩形袋体は幅が１０〜１４ｃｍで高さが１８〜２５ｃｍの範囲にあることを特徴とする植物育成補助装置。
【請求項４】
請求項１〜３のいずれか１項に記載の植物育成補助装置において、前記植物育成助成剤は、重炭酸アンモニウムであることを特徴とする植物育成補助装置。
【請求項５】
請求項４記載の植物育成補助装置において、前記重炭酸アンモニウムは、前記矩形袋体に８０〜１５０ｇ収納されていることを特徴とする植物育成補助装置。
【請求項６】
請求項１〜５のいずれか１項に記載の植物育成補助装置において、前記袋本体の上部に水注入口マークが印刷されていることを特徴とする植物育成補助装置。
【考案の詳細な説明】
【技術分野】
【０００１】
本考案は、植物にとって有用なガスを発生して、光合成を行う植物の育成を促進する植物育成補助装置に関する。
【背景技術】
【０００２】
植物の育成助成方法として、例えば、特許文献１に記載のように、土壌中に過炭酸ナトリウム、又は過炭酸ナトリウムと炭酸アンモニウムとの混合物を散布して、酸素を発生させ、植物の育成を助長することが行われている。
また、特許文献２には、保管箱に固形炭酸を加熱する装置を設け、該加熱装置及び保管箱の蓋の開閉を制御することによって、温室内に炭酸ガスを供給する装置が提案されていた。
【先行技術文献】
【特許文献】
【０００３】
【特許文献１】特公平７−２４５１３号公報
【特許文献２】特開平０７−２７４７２４号公報
【考案の概要】
【考案が解決しようとする課題】
【０００４】
しかしながら、特許文献１に記載のように、土壌中に過炭酸ナトリウムや炭酸アンモニウムを散布する方法は、適当時間毎にこれらの薬剤を散布する必要があり、大変手間であるという問題があった。
また、特許文献２記載の装置は、加熱装置や蓋の開閉を行う制御装置が必要であり、装置が複雑かつ電気代等が必要があるという問題があった。
【０００５】
本考案はかかる事情に鑑みてなされたもので、手間をかけずに簡単な操作で、ビニールハウスや温室内の植物に炭酸ガスを供給し、光合成を促進する植物育成補助装置を提供することを目的とする。
【課題を解決するための手段】
【０００６】
前記目的に沿う本考案に係る植物育成補助装置は、下部が第１の閉塞部によって、上部が上端から距離を置いて第２の閉塞部によって閉塞された合成樹脂シートからなる矩形袋体と、該矩形袋体の内部に収納され、ペレット、顆粒、及び粉のいずれか１又は２以上からなり、炭酸ガスを発生する植物育成助成剤とを有し、前記矩形袋体の幅方向中央で該矩形袋体の上端と前記第２の閉塞部との間には吊り下げ用の貫通孔が設けられ、前記第１の閉塞部と前記第２の閉塞部で密閉される袋本体の上半分には、複数の貫通孔指示マークが設けられている。
【０００７】
また、本考案に係る植物育成補助装置において、前記合成樹脂シートは、０．１〜０．５ｍｍ厚のポリオレフィン樹脂であることが好ましい。これによって、安価で丈夫な植物育成補助装置を形成できる。
【０００８】
本考案に係る植物育成補助装置において、前記矩形袋体は幅が１０〜１４ｃｍで高さが１８〜２５ｃｍの範囲であることが好ましい。これによって、植物育成補助装置が小さくなり、取り扱いが容易である。
【０００９】
本考案に係る植物育成補助装置において、前記植物育成助成剤は、重炭酸アンモニウムであることが好ましい。これによって、炭酸ガスを容易に発生できると同時に費用も安価に抑えることができる。なお、炭酸ガスを発生させる植物育成助成剤として、自然にあるいは水に溶かして炭酸ガスを発生し、取り扱いが安全な他の薬剤、例えば、炭酸アンモニウムを使用することも可能であり、炭酸アンモニウム単独、あるいは、重炭酸アンモニウムと併用して使用することも可能である。
【００１０】
なお、本考案に係る植物育成補助装置において、前記重炭酸アンモニウムは、前記矩形袋体に８０〜１５０ｇ収納されていることが好ましい。８０〜１５０ｇと少量を収納することによって、温室やビニールハウスの広さに応じて必要な数の植物育成補助装置を温室やビニールハウス内に分散して設置することができ、温室やビニールハウス内の植物に満遍なく炭酸ガスを供給することができる。
【００１１】
本考案に係る植物育成補助装置において、前記袋本体の上部に水注入口マークを印刷することができる。印刷された水注入口マーク部分を切り取って水注入口とし、水注入口から袋本体内に水を注入することによって、内部に収納された植物育成助成剤を水に溶かし、炭酸ガスの発生を容易にすることができる。
【考案の効果】
【００１２】
本考案に係る植物育成補助装置は、合成樹脂シートからなる矩形袋体の第１の閉塞部と第２の閉塞部によって閉塞された袋本体の内部に炭酸ガスを発生する植物育成助成剤を収納しているので、袋本体の上半分に設けられた複数の貫通孔指示マークに従って炭酸ガス発散用の貫通孔を開け、矩形袋体の上部に設けられた吊り下げ用の貫通孔を用いて植物育成補助装置を温室やビニールハウス内に吊り下げて使用することにより、非常に簡単な操作でしかも安価に、温室やビニールハウス内の植物に炭酸ガスを供給して、植物の炭酸同化作用を促進し、作物の増収を図ることができる。
【００１３】
一般に作物は、大気中濃度の３〜４倍量の炭酸ガスを与えると高品質かつ大幅な増収になるといわれており、矩形袋体に重炭酸アンモニウムを８０〜１５０ｇ収納した場合、植物育成補助装置を、１アール当たり約４００〜５００ｇの重炭酸アンモニウムが配置されるように、温室やビニールハウス内に分散して吊り下げることで、大気中濃度の３〜４倍量の炭酸ガスを温室やビニールハウス内の植物に濃度のむらの少ない状態で供給することができる。
特に、袋本体内部に水を注入して使用すると、炭酸ガスが容易に発散されて、効果の発現がよい。
【図面の簡単な説明】
【００１４】
【図１】本考案の一実施の形態に係る植物育成補助装置の斜視図である。
【図２】同植物育成補助装置の使用状態を示す斜視図である。
【図３】同植物育成補助装置を温室に使用した状態を示す説明図である。
【考案を実施するための形態】
【００１５】
続いて、添付した図面を参照しつつ、本考案を具体化した実施の形態につき説明し、本考案の理解に供する。
図１に示すように、本考案の一実施の形態に係る植物育成補助装置１０は、下部が第１の閉塞部１１によって、上部が上端から距離を置いて第２の閉塞部１２によって閉塞された合成樹脂シートからなる矩形袋体１３を有し、密閉された矩形袋体１３の内部（即ち、袋本体１６内）には植物育成助成剤の一例であるペレット状の重炭酸アンモニウム１４が１００ｇ収納されている。
なお、前記合成樹脂シートは０．１〜０．５ｍｍ厚で、ポリオレフィン樹脂からなり、矩形袋体１３の大きさは、幅１２ｃｍ、高さ２１ｃｍで小豆色に着色されている。
また、矩形袋体１３の幅方向中央で矩形袋体１３の上端と第２の閉塞部１２との間には吊下げ用の貫通孔１５が設けられ、更に、第１の閉塞部１１と第２の閉塞部１２で密閉された袋本体１６の上半分には、複数の貫通孔指示マーク１７が設けられている。
更に、第２の閉塞部１２の下方で袋本体１６の上部右隅には水注入口マーク１８が印刷されている。
【００１６】
図２、図３に示すように、植物育成補助装置１０を例えば温室２１に使用する際には、袋本体１６に設けられた複数の貫通孔指示マーク１７の部位に、ボールペン又は鉛筆を押し込んで、貫通孔１９を開けて、発生する炭酸ガス２２が外部に発散できるようにし、更に、水注入口マーク１８を切り取り、切り取り口（水注入口）から袋本体１６の約三分の一の高さまで水２０を注入する。なお、注入する水２０の量によって、重炭酸アンモニウム１４の溶け方が変わり、炭酸ガス２２の発生量に変化があるため、注入する水２０の量は、上部の貫通孔１９の下であれば、必要に応じて適宜調整可能である。
複数の貫通孔１９が開けられ、水２０が注入された植物育成補助装置１０を、図３に示すように、温室２１内の植物より高い位置に、例えば、６アールの温室２１であれば重炭酸アンモニウム１００ｇが収納された植物育成補助装置１０を３０袋、温室２１内の３０ケ所に分散させて、吊り下げ用貫通孔１５を介して天井に吊り下げて使用する。なお、植物育成補助装置１０に貫通孔１９を開けたり、水２０を注入する順序は自由である。
これによって、温室やビニールハウス内の植物に２０〜４０日に亘って大気中の炭酸ガス濃度の３〜４倍量の炭酸ガス２２を与えることができ、この炭酸ガス供給後に、吊り下げた各植物育成補助装置１０を交換することによって、効果を継続することができる。
【００１７】
なお、室温及び注入した水２０の量によって、内部の重炭酸アンモニウム１４の消費量は変わるため、室温及び注入した水２０の量によって各植物育成補助装置１０の交換日数は適宜変更することが望ましい。また、収納された重炭酸アンモニウム１４の量によっても、使用する各植物育成補助装置１０の数、交換日数は適宜変更し、温室やビニールハウス内の植物によっても、適宜変更して使用することができる。
【００１８】
本実施の形態において、合成樹脂シートには０．１〜０．５ｍｍ厚のポリオレフィン樹脂を使用したが、品質が丈夫ならポリオレフィン樹脂以外の合成樹脂を使用することも可能であるし、シートの厚みもより薄くても、厚くてもよい。また、矩形袋体１３の大きさは、幅１２ｃｍ、高さ２１ｃｍとしたが、幅を１０〜１４ｃｍ、高さを１８〜２５ｃｍの範囲とすることができ、更にこの範囲より大きくても小さくてもよい。そして、矩形袋体は、小豆色以外に、茶色、赤、紫、又は黒に着色されたものを使用できる。
また、本実施の形態においては、矩形袋体１４内部に収納する植物育成助成剤として、ペレット状の重炭酸アンモニウムを１００ｇ使用したが、ペレット状、粉状、顆粒状のいずれの形状のものを用いてもよいし、混合して用いてもよい。更に、収納する植物育成助成剤の分量も８０〜１５０ｇ、あるいはそれ以上の例えば、３００ｇとしてもよいし、更に、量を少なく５０ｇ程度にしてもよい。収納する植物育成助成剤の種類、量に応じて、矩形袋体１３の大きさ、材質は適宜変更するのがよい。
更に、本実施の形態において、水注入口マーク１８を第２の閉塞部１１の下方で袋本体１６の上部右隅に印刷したが、袋本体１６内に水を注入できて、水が漏れない箇所なら場所は問わないし、水注入口マーク１８を印刷しておかなくてもよい。
また、炭酸ガスを外部に発散する貫通孔指示マーク１７及び貫通孔１９の大きさをボールペン又は鉛筆で開けることができる大きさとしたが、より大きくても小さくてもよい。
【００１９】
本考案に係る植物育成補助装置１０を温室又はビニールハウスに使用することによって、植物の炭酸同化作用を促進し、植物の花芽形成、着果、登熟促進、樹勢維持に大きく作用すると同時に、味、日持ち、色つや、肥大にも大きな効果をあげ、高品質な野菜、花、果樹類を作成することができると同時に増収を図ることができる。
【符号の説明】
【００２０】
１０：植物育成補助装置、１１：第１の閉塞部、１２：第２の閉塞部、１３：矩形袋体、１４：重炭酸アンモニウム、１５：吊り下げ用の貫通孔、１６：袋本体、１７：貫通孔指示マーク、１８：水注入口マーク、１９：貫通孔、２０：水、２１：温室、２２：炭酸ガス
【図１】
0003208793.tif 000003
【図２】
0003208793.tif 000004
【図３】
0003208793.tif 000005